(57)【要約】【課題】  食品がこぼれ出ることがなく、また、食品の風味が損なわれることがないとともに、食品からの臭いが他の食品に広がることが防止される弁当箱内等において好適に使用される使い捨てカップを提供する。【解決手段】  シート基材より形成される周壁部５と底部６とからなり内部を食品収納部８とし上面が開放するカップ本体２と、カップ本体２の上面の開放部に位置決め装着され食品収納部８を覆う蓋体３とからなることを特徴とする食品用使い捨てカップ。【選択図】図１
0003174327.tif 000002
【実用新案登録請求の範囲】
【請求項１】
シート基材より形成される周壁部と底部とからなり内部を食品収納部とし上面が開放するカップ本体と、
前記カップ本体の上面の開放部に位置決め装着され前記食品収納部を覆う蓋体と、
からなることを特徴とする食品用使い捨てカップ。
【請求項２】
前記位置決め装着が、前記開放部に前記蓋体が嵌め込み装着されることでなされる請求項１記載の食品用使い捨てカップ。
【請求項３】
前記蓋体の表面と裏面とのそれぞれに、互いに関連する内容の表示がなされてなる請求項１記載の食品用使い捨てカップ。
【請求項４】
弁当箱においておかずを区分けして入れるように用いられる請求項１、２または３記載の食品用使い捨てカップ。
【考案の詳細な説明】
【技術分野】
【０００１】  この考案は、弁当箱においておかずを区分けして入れる等して用いる食品用使い捨てカップに関する。
【背景技術】
【０００２】  弁当箱等においては、食品おかずを区分けして入れるように使い捨てのカップが使用される。このような使い捨てカップが使用されることでおかずが整頓されて見栄え良く納められる。
【考案の概要】
【考案が解決しようとする課題】
【０００３】  しかしながら、従来の使い捨てカップでは、弁当箱に外部から衝撃が加わった際には内部の食品がこぼれ出る場合があった。また、使い捨てカップ内の食品の風味が損なわれるとともに、使い捨てカップ内に漬物等を入れた場合にはその匂いが弁当箱内に広がってしまう問題があった。【０００４】  この考案は上記の点に鑑みて行ったもので、食品がこぼれ出ることがなく、また、食品の風味が損なわれず、食品からの臭いが他の食品に広がることが防止される使い捨てカップを提供することを目的とする。【０００５】  この考案では、シート基材より形成される周壁部と底部とからなり内部を食品収納部とし上面が開放するカップ本体と、前記カップ本体の上面の開放部に位置決め装着され前記食品収納部を覆う蓋体とからなることを特徴とする食品用使い捨てカップを提供する。【０００６】  上記構成の使い捨てカップは、食品収納部を覆うようにカップ本体の上面の開放部に蓋体が位置決め装着されることで、食品がこぼれ出ることがなく、かつ、食品の風味が損なわれないとともに食品からの臭いも使い捨てカップ内から漏れ出すことが防がれる。【０００７】  蓋体の位置決め装着が開放部に蓋体が嵌め込み装着されることでなされる構成とされることで、蓋体が安定固定されるとともに蓋体が密封構造に装着され、これにより蓋体の外れが確実に防止されるとともに、より食品の風味が損なわれないようになり、かつ、食品からの臭いの漏れ出しもより確実に防がれるようになる。また、蓋体の表面と裏面とのそれぞれに、クイズ、占い等の互いに関連する内容の表示がなされる構成とされることで、それを楽しみとして弁当等が食される。【０００８】  この考案の使い捨てカップは弁当箱においておかずを区分けして入れるように用いられることで好適に用いられるが、形態を大きくすることでパーティー会場などにおいてオードブル入れとして用いられ、その場合はパーティー開始時まで蓋体を装着しておくことで食品に埃等が付着することが防止される。【０００９】  カップ本体と蓋体とは、紙材、プラスチックフィルム、アルミ箔等適宜のものから制作される。カップ本体は周壁の折り込み部の有無は適宜であってよく、蓋体もカップ本体に対応して適宜の形態とされ、また、透明とされることで装着時に食品収納部内の食品が見える。
【考案の効果】
【００１０】  この考案によれば、食品がこぼれ出ることがなく、また、食品の風味を損なわれないとともに食品からの臭いが他の食品に広がることが防止される使い捨てカップが得られる。この考案の使い捨てカップを使用することで、そこにおかずが見栄え良く安定して納められ、美味しく食される弁当が作られる。
【図面の簡単な説明】
【００１１】
【図１】この考案の使い捨てカップの実施形態の蓋体取り外し時の外観斜視図
【図２】この考案の使い捨てカップの実施形態の蓋体装着時の外観斜視図
【図３】この考案の使い捨てカップの実施形態の使用状態図
【図４】この考案の使い捨てカップに使用される蓋体の他の実施形態の斜視図
【考案を実施するための形態】
【００１２】  図１はこの考案の使い捨てカップの実施形態の蓋体の取り外し時の外観斜視図、図２は同蓋体の装着時の外観斜視図である。
【００１３】  使い捨てカップ１はカップ本体２と蓋体３とからなる。カップ本体２は縦方向に複数本の折り込み部４が並設された上面が開放する周壁部５と、その下部に連続一体の底部６とからなり、底部６上の周壁部５に囲まれる部分を食品収納部８としている。蓋体３は透明で全周縁に凸部７が隣接配置されるとともにその一部にリップ部９が一体に設けられている。
【００１４】  カップ本体２の制作は、多数枚重ねられた円形の紙製の基材シートが型内に納められ加熱成形されることで行われる。蓋体３は円形で若干厚みを持つ透明のプラスチックス製の基材シートの周縁が所定の形態に切除加工されて制作される。その際、カップ本体２の周壁部５と蓋体３との周縁とは互いに合致する形状とされ、これにより蓋体３は、図２に示すように、カップ本体２の開放部上面に嵌め込み装着されて位置決めされる。蓋体３はリップ部９を持つことで取り外される。
【００１５】  図３は使い捨てカップ１のおかず用の弁当箱１０での使用状態を示す。使い捨てカップ１は上面に蓋体３が嵌め込み装着されていて、蓋体３によりその食品収納部８内の食品が覆われている。蓋体３があることで食品収納部８内の食品がこぼれ出すことがなく、これにより、他の食品に使い捨てカップ内の食品が付着したりして見栄えが悪くなることがないとともに、風味が損なわれないことで食品が美味しく食される。また、食品からの臭いも外部に出にくくなることで、他の食品に臭いが付くことが防がれる。蓋体３の装着時には蓋体３が透明であることで食品収納部８内の食品内容が確認できる。
【００１６】  とくに、蓋体３は嵌め込み装着されることで、蓋体３が安定固定されるとともに蓋体３が密封構造に装着され、これにより蓋体３の外れが確実に防止されるとともに、より食品の風味が損なわれないようになり、かつ、食品からの臭いの漏れ出しもより確実に防がれるようになる。
【００１７】  図４は使い捨てカップに使用される蓋体の他の実施形態の表面、裏面を示す。このものでは蓋体３は不透明で表面１４に「ＭＯＯＮ」の表示１５が、裏面１６に「月」の表示１７がそれぞれ設けられており、これにより子供はそれを学び、楽しみながら弁当を食することができる。
【符号の説明】
【００１８】  １    使い捨てカップ
２    カップ本体
３    蓋体
５    周壁部
６    底部
８    食品収納部
【図１】
0003174327.tif 000003
【図２】
0003174327.tif 000004
【図３】
0003174327.tif 000005
【図４】
0003174327.tif 000006